(57)【要約】【課題】陽極の回転によりＸ線管に発生する振動はＸ線管装置およびＸ線保持装置を経てＸ線検出器に伝わり、撮影される画像の解像度を劣化させる。また陽極の回転によりＸ線管内部で発生する騒音は被検者に不快感や不安を与える。本発明は回転陽極Ｘ線管装置において陽極の回転により発生する振動のＸ線保持装置への伝達を低減すること、および騒音のＸ線管容器の外部への漏洩を低減することを目的とする。【解決手段】回転陽極Ｘ線管装置において従来アルミニウム鋳物で製造していた外筒部３をクローズドセル構造のステンレス発泡金属を使用して製造する。クローズドセル構造の発泡金属が持つ防振および防音特性により振動のＸ線保持装置への伝達、および騒音のＸ線管容器１からの漏洩を低減することができる。【選択図】          図１
2007179936.tif 000002
【特許請求の範囲】
【請求項１】
高電圧を印加することによりＸ線を発生するＸ線管をＸ線管容器に封入した回転陽極Ｘ線管装置において、前記Ｘ線管容器を構成する外筒部の一部または全部が発泡金属により形成されることを特徴とする回転陽極Ｘ線管装置。
【請求項２】
請求項１記載の回転陽極Ｘ線管装置を備えたことを特徴とするＸ線断層撮影装置。
【発明の詳細な説明】
【技術分野】
【０００１】
本発明はＸ線の発生源である回転陽極Ｘ線管装置およびＸ線断層撮影装置に関する。
【背景技術】
【０００２】
回転陽極Ｘ線管装置は図１に示すように、Ｘ線管容器１の内部にＸ線管２を封入したもので、Ｘ線を発生させるために高真空のＸ線管２の内部に対向配置された陽極１１と陰極１２の間に印加する高電圧を接地電位のＸ線管容器１に対して絶縁するために、Ｘ線管容器１の内部は絶縁油７で満たされている。そしてＸ線管容器１は、絶縁油７を密封するためのアルミニウム鋳物製の外筒部３やベローズ４等や、Ｘ線撮影に不要なＸ線の漏洩を防止するためのＸ線遮蔽鉛５等により構成されており、その内部にＸ線管２が陽極側および陰極側の２箇所で固定されている。具体的には陽極側はＸ線管容器１にネジ止め固定された筒状のステータ部６の内面に密着挿入された円筒状樹脂製の陽極保持部８の開いた側から挿入されたＸ線管２の陽極側端部が陽極保持部８の閉じた側の壁にネジ止め固定され、陰極側は内面にＸ線管２の外円筒面を密着挿入された樹脂製リング状の陰極保持部９をＸ線管容器１にネジ止め固定されている（例えば特許文献１参照）。そして回転陽極Ｘ線管装置は図２に示すようなＸ線管取付装置１０によりＸ線保持装置（図示しない）に取り付けられる。なお図２（ａ）はＸ線管取付装置２の正面図であり、図２（ｂ）は側面図、図２（ｃ）は平面図である。支持軸１０Ｄの上部はＸ線管取付装置２をＸ線保持装置に取り付けるためにＸ線保持装置のＸ線管固定部に挿入する部分であり、下部には取付板１０Ｃがネジにより固定される。取付板１０Ｃの両端にはそれぞれ半円状の取付リング１０Ａがネジにより固定され、さらにそれぞれの取付リング１０Ａには半円状の取付リング１０Ｂがネジ留めされて、回転陽極Ｘ線管装置の外筒部３を保持するための二個の円部を構成している。なおＸ線管取付装置１０の各部品は通常アルミニウムで製作される。
【特許文献１】特開２００３−１８７７２８号公報
【発明の開示】
【発明が解決しようとする課題】
【０００３】
Ｘ線管２の陽極１１は、外部から加えられる電力によりステータ部６が発生する磁気によって回転駆動されるが、このとき程度の差はあれ陽極１１の回転によりＸ線管２に振動が発生する。そしてＸ線管２は背景技術の項で述べた方法でＸ線管容器１、さらにはＸ線保持装置に固定されているため、Ｘ線管２の振動はＸ線管容器１に伝わり、さらに回転陽極Ｘ線管装置の外筒部３を保持するＸ線管取付装置１０およびＸ線保持装置を経て、回転陽極Ｘ線管装置に対向する位置にＸ線保持装置により保持されるＸ線検出器（図示しない）に伝わるため、Ｘ線検出器により撮影される画像の解像度の劣化を招く。また陽極１１の回転によりＸ線管２内部で発生する騒音は被検者に不快感や不安を与える。本発明は回転陽極Ｘ線管装置において陽極１１の回転により発生する振動のＸ線検出器への伝達を低減すること、騒音のＸ線管容器１の外部への漏洩を低減すること、およびＸ線管容器１の軽量化を目的とする。
【課題を解決するための手段】
【０００４】
請求項１記載の発明は上記の目的を達成するために、高電圧を印加することによりＸ線を発生するＸ線管をＸ線管容器に封入した回転陽極Ｘ線管装置において、前記Ｘ線管容器を構成する外筒部の一部または全部が発泡金属により形成される回転陽極Ｘ線管装置を提供する。
【０００５】
請求項２記載の発明は上記の目的を達成するために、請求項１記載の回転陽極Ｘ線管装置を備えたＸ線断層撮影装置を提供する。
【発明の効果】
【０００６】
本発明により、回転陽極Ｘ線管装置において陽極の回転により発生する振動のＸ線検出器への伝達が低減されるので、Ｘ線検出器の振動に起因する撮影画像の解像度の劣化が低減されるとともに、Ｘ線管内部で発生する騒音のＸ線管容器の外部への漏洩が低減されるので、騒音による被検者の不快感や不安が低減される。また本発明によりＸ線管装置が軽量化されるので、回診用Ｘ線装置等手動で移動させるＸ線装置では従来に比べて移動を容易に行うことができる。また、例えば断層撮影等、撮影中Ｘ線管装置を移動させる術式では、Ｘ線管装置を従来より高速で移動させることが可能になるので、撮影時間の短縮により被写体の運動による画像のボケを低減することが可能になる。
【発明を実施するための最良の形態】
【０００７】
本発明の実施例は図１に示す回転陽極Ｘ線管装置において従来アルミニウム鋳物で製造していた外筒部３をクローズドセル構造のステンレス発泡金属を使用して製造したものである。泡の膜面を持つクローズドセル構造の発泡金属はその構造上防振および防音特性に優れているので、Ｘ線管２内で発生しＸ線管容器に伝わった振動が、外筒部３を経由してＸ線管取付装置１０に伝わる段階で外筒部３の持つ防振性により大幅に低減される。またＸ線管２内で発生した騒音も防音特性の良い外筒部３で吸収されることにより大幅に低減される。
【０００８】
そしてクローズドセル構造のステンレス発泡金属を使用して製造した、従来のアルミニウム鋳物製外筒部３と同等の強度を有する外筒部３の重量は、例えば従来の６ｋｇに対して１ｋｇ弱となり、回転陽極Ｘ線管装置全体の重量２５ｋｇに対して約２０％軽量化される。本発明によるＸ線管装置の軽量化により、回診用Ｘ線装置等手動で移動させるＸ線装置では従来に比べて移動を容易に行うことができる。また、例えば断層撮影等、撮影中Ｘ線管装置を移動させる術式では、Ｘ線管装置を従来より高速で移動させることが可能になるので、撮影時間の短縮により被写体の運動による画像のボケを低減することが可能になる。
【０００９】
図３に本発明の回転陽極Ｘ線管装置を備えたＸ線断層撮影装置の一例を示す。Ｘ線断層撮影装置は一般に揺動レバー１４の両端に対向して取り付けられた回転陽極Ｘ線管装置１３とフィルム内蔵カセッテ１５が撮影中揺動レバー１４の支点１６を固定した状態で移動することにより、撮影台１７上の被検者１８の支点１６を含む撮影台１７に平行な面の断層画像を得るものであるが、本発明の回転陽極Ｘ線管装置１３は図１に示すようにＸ線管容器１の外筒部３が発泡金属を使用して製造され、従来より軽量化されているので、撮影中Ｘ線管装置を従来より高速で移動させることが可能になり、撮影時間が短縮されるので被写体の運動による画像のボケが低減された断層画像を得ることができる。
【産業上の利用可能性】
【００１０】
本発明はＸ線の発生源である回転陽極Ｘ線管装置およびＸ線断層撮影装置に関する。
【図面の簡単な説明】
【００１１】
【図１】回転陽極Ｘ線管装置の構成を示す図である。
【図２】Ｘ線管取付装置の構成を示す図である。
【図３】Ｘ線断層撮影装置の構成例を示す図である。
【符号の説明】
【００１２】
１：Ｘ線管容器
２：Ｘ線管
３：外筒部
４：ベローズ
５：Ｘ線遮蔽鉛
６：ステータ部
７：絶縁油
８：陽極保持部
９：陰極保持部
１０：Ｘ線管取付装置
１０Ａ：取付リング
１０Ｂ：取付リング
１０Ｃ：取付板
１０Ｄ：支持軸
１１：陽極
１２：陰極
１３：回転陽極Ｘ線管
１４：揺動レバー
１５：フィルム内蔵カセッテ
１６：支点
１７：撮影台
１８：被検者
【図１】
2007179936.tif 000003
【図２】
2007179936.tif 000004
【図３】
2007179936.tif 000005